(57)【要約】【課題】胴縁等の長尺部材を確実かつ容易に等間隔に配置することが可能な位置決め治具および胴縁の取付方法を提供することを目的とする。【解決手段】被取付面１に取り付けられた一方の長尺部材２を挟み込む挟込部２０と、側端面３０ａに、一方の長尺部材２と所定の間隔をあけて取り付けられる他方の長尺部材２が当接する位置出し部３０と、これら挟込部２０と位置出し部３０とを所定間隔離間させる連結部４０とを備えていることを特徴とする位置決め治具１０と、この位置決め治具１０を用いた胴縁２の取付方法。これにより、一方の長尺部材を挟込部で挟み込んだ状態で、位置出し部の側端面に他方の長尺部材を当接させることによって、この他方の長尺部材を位置決めできる。【選択図】図１
2010053584.tif 000002
【特許請求の範囲】
【請求項１】
被取付面に取り付けられる複数の長尺部材を等間隔に配置するための位置決め治具であって、
前記被取付面に取り付けられた一方の長尺部材を挟み込む挟込部と、
側端面に、前記一方の長尺部材と所定の間隔をあけて取り付けられる他方の長尺部材が当接する位置出し部と、
これら挟込部と位置出し部とを所定間隔離間させるとともに、これら挟込部と位置出し部とを連結する連結部とを備えていることを特徴とする位置決め治具。
【請求項２】
請求項１に記載の位置決め治具において、
前記挟込部は、前記一方の長尺部材の一方の側端面に当接する当接部を有する基体と、
この基体に回動可能に軸支されるとともに、前記一方の長尺部材の他方の側端面に食い込む爪部と、
この爪部を前記一方の長尺部材の他方の側端面に食い込ませる方向に付勢する付勢手段とを備えていることを特徴とする位置決め治具。
【請求項３】
請求項２に記載の位置決め治具において、
前記挟込部は、前記基体の表面から突出するとともに、この基体の表面に固定される主握り部と、前記爪部に連結される副握り部とを備えており、
これら主握り部と副握り部とを握り締めることによって、前記爪部を、前記一方の長尺部材の他方の側端面に食い込ませる方向とは反対の方向に回動操作可能となっていることを特徴とする位置決め治具。
【請求項４】
請求項１〜３のいずれか一項に記載の位置決め治具において、
前記位置出し部は、この位置出し部の表面から突出するとともに、この位置出し部の表面に固定される把持部を備えていることを特徴とする位置決め治具。
【請求項５】
請求項１〜４のいずれか一項に記載の位置決め治具を用いて、表面に外装材が取り付けられる長尺な胴縁を、壁面に、この壁面の幅方向または高さ方向に沿って等間隔に複数取り付ける胴縁の取付方法であって、
隣り合うようにして配置される複数の胴縁のうち、前記壁面に取り付けられた一方の胴縁を前記挟込部によって挟み込んだ後、
前記隣り合う複数の胴縁のうちの他方の胴縁を、前記位置出し部の側端面に当接させ、その後、この他方の胴縁を、前記壁面に取り付けることを特徴とする胴縁の取付方法。
【発明の詳細な説明】
【技術分野】
【０００１】
本発明は、被取付面に取り付けられる複数の長尺部材を等間隔に配置するための位置決め治具と、この位置決め治具を用いた胴縁の取付方法に関する。
【背景技術】
【０００２】
近年、建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。このようなパネル工法に用いられる壁パネルには、例えば、特許文献１に示すように、外側の面に防水シートが貼設され、その上から、表面に外装材が取り付けられる胴縁等の長尺部材が所定の間隔をあけて複数取り付けられる。
また、防水シートとしては、例えば、シート表面に碁盤目が印刷されたもの、長尺部材の取付位置の表示が印刷されたもの等が用いられており、印刷された碁盤目や取付位置の表示に従って胴縁等の長尺部材を等間隔に配置して取り付けできるようになっている。
【特許文献１】特開平７−１５８１８１号公報
【発明の開示】
【発明が解決しようとする課題】
【０００３】
ところが、従来の防水シートを用いる場合、長尺部材の取付位置の大体の目安はつくものの、碁盤目の数をいちいち数えたり、印刷された取付位置の表示が正確かどうか、また、取り付け後の長尺部材に取付誤差はないか等を確認しなければならない。このため、従来のいずれの防水シートを用いても長尺部材の取付作業が煩雑であった。
【０００４】
本発明の課題は、胴縁等の長尺部材を確実かつ容易に等間隔に配置することが可能な位置決め治具および胴縁の取付方法を提供することを目的とする。
【課題を解決するための手段】
【０００５】
請求項１に記載の発明は、例えば図１および図２に示すように、被取付面１に取り付けられる複数の長尺部材２を等間隔に配置するための位置決め治具１０であって、
前記被取付面１に取り付けられた一方の長尺部材２を挟み込む挟込部２０と、
側端面３０ａに、前記一方の長尺部材２と所定の間隔をあけて取り付けられる他方の長尺部材２が当接する位置出し部３０と、
これら挟込部２０と位置出し部３０とを所定間隔離間させるとともに、これら挟込部２０と位置出し部３０とを連結する連結部４０とを備えていることを特徴とする。
【０００６】
請求項１に記載の発明によれば、前記被取付面１に取り付けられた一方の長尺部材２を挟み込む挟込部２０と、側端面３０ａに、前記一方の長尺部材２と所定の間隔をあけて取り付けられる他方の長尺部材２が当接する位置出し部３０と、これら挟込部２０と位置出し部３０とを所定間隔離間させるとともに、これら挟込部２０と位置出し部３０とを連結する連結部４０とを備えているので、前記挟込部２０によって、前記被取付面１に取り付けられた一方の長尺部材２を挟み込んだ状態で、前記位置出し部３０の側端面３０ａに、前記他方の長尺部材２を当接させることによって、この他方の長尺部材２を位置決めできることとなる。
これによって、従来とは異なり、防水シートに印刷された碁盤目の数をいちいち数えたり、取付位置の表示が正確かどうか、また、取り付け後の長尺部材に取付誤差はないか等を確認したりする必要がなく、前記被取付面１に取り付けられる隣り合う一方の長尺部材２と他方の長尺部材２との間の間隔が全て等しいものとなるので、前記複数の長尺部材２を確実かつ容易に等間隔に配置することが可能となる。
しかも、前記挟込部２０によって前記一方の長尺部材２を挟み込んだ状態で、前記位置出し部３０の側端面３０ａに、前記他方の長尺部材２を当接させるだけで、隣り合う長尺部材２，２同士を等間隔に配置できるので、複数の長尺部材２を等間隔に配置する作業を一人でも容易に行うことができる。
【０００７】
請求項２に記載の発明は、例えば図１および図２に示すように、請求項１に記載の位置決め治具１０において、
前記挟込部２０は、前記一方の長尺部材２の一方の側端面２ａに当接する当接部２１ａを有する基体２１と、
この基体２１に回動可能に軸支されるとともに、前記一方の長尺部材２の他方の側端面２ｂに食い込む爪部２２と、
この爪部２２を前記一方の長尺部材２の他方の側端面２ｂに食い込ませる方向に付勢する付勢手段２３とを備えていることを特徴とする。
【０００８】
請求項２に記載の発明によれば、前記挟込部２０は、前記一方の長尺部材２の一方の側端面２ａに当接する当接部２１ａを有する基体２１と、この基体２１に回動可能に軸支されるとともに、前記一方の長尺部材２の他方の側端面２ｂに食い込む爪部２２と、この爪部２２を前記一方の長尺部材２の他方の側端面２ｂに食い込ませる方向に付勢する付勢手段２３とを備えているので、前記基体２１の当接部２１ａと前記爪部２２との間に、前記一方の長尺部材２を挟み込むことができる。
また、前記爪部２２を、前記一方の長尺部材２の他方の側端面２ｂに食い込ませることができるとともに、前記付勢手段２３によって前記爪部２２を前記一方の長尺部材２の他方の側端面２ｂに食い込ませる方向に付勢することができるので、前記挟込部２０によって前記一方の長尺部材２を強固に挟み込むことができ、位置決め治具１０自体を、手を離した状態で前記被取付面１上に保持できる。
しかも、このように位置決め治具１０自体を、手を離した状態で前記被取付面１上に保持した状態で、前記位置出し部３０の側端面３０ａに、前記他方の長尺部材２を当接させるだけで、隣り合う長尺部材２，２同士を等間隔に配置できるので、複数の長尺部材２を等間隔に配置する作業を一人でも、より容易に行うことができる。
【０００９】
請求項３に記載の発明は、例えば図１および図２に示すように、請求項２に記載の位置決め治具１０において、
前記挟込部２０は、前記基体２１の表面から突出するとともに、この基体２１の表面に固定される主握り部２４と、前記爪部２２に連結される副握り部２５とを備えており、
これら主握り部２４と副握り部２５とを握り締めることによって、前記爪部２２を、前記一方の長尺部材２の他方の側端面２ｂに食い込ませる方向とは反対の方向に回動操作可能となっていることを特徴とする。
【００１０】
請求項３に記載の発明によれば、前記挟込部２０は、前記基体２１の表面から突出するとともに、この基体２１の表面に固定される主握り部２４と、前記爪部２２に連結される副握り部２５とを備えており、これら主握り部２４と副握り部２５とを握り締めることによって、前記爪部２２を、前記一方の長尺部材２の他方の側端面２ｂに食い込ませる方向とは反対の方向に回動操作可能となっているので、前記主握り部２４と副握り部２５とを握り締めた状態を解除するだけで、前記爪部２２を、前記一方の長尺部材２の他方の側端面２ｂに食い込ませる方向に回動させることができ、前記挟込部２０によって前記一方の長尺部材２を挟み込む動作を簡単に行うことができる。
【００１１】
請求項４に記載の発明は、例えば図１および図２に示すように、請求項１〜３のいずれか一項に記載の位置決め治具１０において、
前記位置出し部３０は、この位置出し部３０の表面から突出するとともに、この位置出し部３０の表面に固定される把持部３１を備えていることを特徴とする。
【００１２】
請求項４に記載の発明によれば、前記位置出し部３０は、この位置出し部３０の表面から突出するとともに、この位置出し部３０の表面に固定される把持部３１を備えているので、前記把持部３１を掴みながら作業できる。これによって、前記他方の長尺部材２を当接させた際に、前記位置出し部３０の揺動を防ぐことができる。
【００１３】
請求項５に記載の発明は、例えば図１および図２に示すように、請求項１〜４のいずれか一項に記載の位置決め治具１０を用いて、表面に外装材が取り付けられる長尺な胴縁２を、壁面１に、この壁面１の幅方向または高さ方向に沿って等間隔に複数取り付ける胴縁２の取付方法であって、
隣り合うようにして配置される複数の胴縁２，２のうち、前記壁面１に取り付けられた一方の胴縁２を前記挟込部２０によって挟み込んだ後、
前記隣り合う複数の胴縁２，２のうちの他方の胴縁２を、前記位置出し部３０の側端面３０ａに当接させ、その後、この他方の胴縁２を、前記壁面１に取り付けることを特徴とする。
【００１４】
請求項５に記載の発明によれば、隣り合うようにして配置される複数の胴縁２，２のうち、前記壁面１に取り付けられた一方の胴縁２を前記挟込部２０によって挟み込んだ後、前記隣り合う複数の胴縁２，２のうちの他方の胴縁２を、前記位置出し部３０の側端面３０ａに当接させ、その後、この他方の胴縁２を、前記壁面１に取り付けるので、前記挟込部２０によって、前記壁面１に取り付けられた一方の胴縁２を挟み込んだ状態で、前記位置出し部３０の側端面３０ａに、前記他方の胴縁２を当接させるだけで、この他方の胴縁２を位置決めできることとなる。
これによって、従来とは異なり、防水シートに印刷された碁盤目の数をいちいち数えたり、取付位置の表示が正確かどうか、また、取り付け後の胴縁に取付誤差はないか等を確認したりする必要がなく、前記壁面１に取り付けられる隣り合う一方の胴縁２と他方の胴縁２との間の間隔が全て等しいものとなるので、前記複数の胴縁２を確実かつ容易に等間隔に配置することが可能となる。
しかも、前記挟込部２０によって前記一方の胴縁２を挟み込んだ状態で、前記位置出し部３０の側端面３０ａに、前記他方の胴縁２を当接させるだけで、隣り合う胴縁２，２同士を等間隔に配置できるので、複数の胴縁２，２を等間隔に配置する作業を一人でも容易に行うことができる。
【発明の効果】
【００１５】
本発明によれば、壁面等の被取付面に取り付けられた一方の胴縁等の長尺部材を挟み込む挟込部と、側端面に、一方の長尺部材と所定の間隔をあけて取り付けられる他方の胴縁等の長尺部材が当接する位置出し部と、これら挟込部と位置出し部とを所定間隔離間させるとともに、これら挟込部と位置出し部とを連結する連結部とを備えているので、挟込部によって、被取付面に取り付けられた一方の長尺部材を挟み込んだ状態で、位置出し部の側端面に、他方の長尺部材を当接させることによって、この他方の長尺部材を位置決めできることとなる。
これによって、従来とは異なり、防水シートに印刷された碁盤目の数をいちいち数えたり、取付位置の表示が正確かどうか、また、取り付け後の長尺部材に取付誤差はないか等を確認したりする必要がなく、被取付面に取り付けられる隣り合う一方の長尺部材と他方の長尺部材との間の間隔が全て等しいものとなるので、複数の長尺部材を確実かつ容易に等間隔に配置することが可能となる。
しかも、挟込部によって一方の長尺部材を挟み込んだ状態で、位置出し部の側端面に、他方の長尺部材を当接させるだけで、隣り合う長尺部材同士を等間隔に配置できるので、複数の長尺部材を等間隔に配置する作業を一人でも容易に行うことができる。
【発明を実施するための最良の形態】
【００１６】
以下、図面を参照して本発明の実施の形態について説明する。
【００１７】
本実施の形態の位置決め治具１０は、図１および図２に示すように、被取付面１に取り付けられる複数の長尺部材２を等間隔に配置するためのものであり、前記被取付面１に取り付けられた一方の長尺部材２を挟み込む挟込部２０と、側端面３０ａに、前記一方の長尺部材２と所定の間隔をあけて取り付けられる他方の長尺部材２が当接する位置出し部３０と、これら挟込部２０と位置出し部３０とを所定間隔離間させるとともに、これら挟込部２０と位置出し部３０とを連結する連結部４０とを備えている。
【００１８】
ここで、本実施の形態の被取付面１は、例えば縦横の框材等を組んでなる矩形枠体の表裏面に面材を取り付けてなる壁パネルの外部側の壁面１であり、前記長尺部材２は、前記壁面１に取り付けられる胴縁２とする。
また、前記壁面１の表面には予め防水シート１ａを貼設しておき、この防水シート１ａの表面に前記胴縁２を取り付けるものとする。
【００１９】
また、本実施の形態の複数の胴縁２は、前記壁面１の幅方向に沿って等間隔に配置される縦胴縁とするが、これに限るものではなく、前記壁面１の高さ方向に沿って等間隔に配置される横胴縁としてもよい。
【００２０】
また、この胴縁２は、表面に外装材（図示せず）が取り付けられるものであり、複数の縦胴縁に対して横方向に長尺な複数の外装材を取り付けたり、複数の横胴縁に対して縦方向に長尺な複数の外装材を取り付けたり、複数の縦胴縁に対して縦方向に長尺な複数の外装材を取り付ける場合がある。
本実施の形態の胴縁２は、上述のように縦胴縁であり、縦胴縁である複数の本実施の形態の胴縁２には、縦方向に長尺な複数の外装材が取り付けられるものとする。すなわち、隣り合う縦方向に長尺な胴縁２，２間に、１枚の縦方向に長尺な外装材が架け渡されるようにして取り付けられるようになっている。
【００２１】
また、前記胴縁２を配置する間隔としては、一方の胴縁２の一方の側端面２ａから、他方の胴縁２の他方の側端面２ｂまでの長さを指している。つまり、後述する挟込部２０の当接部２１ａの前記一方の胴縁２の一方の側端面２ａに当接する面から、前記位置出し部３０の前記他方の胴縁２の他方の側端面２ｂに当接する面までの長さである。
このように一方の胴縁２の一方の側端面２ａから、他方の胴縁２の他方の側端面２ｂまでの長さを基準として、前記胴縁２，２間の間隔を規定することによって、例えば胴縁２の幅寸法に誤差が生じていたとしても、この誤差に関係なく、等しい間隔を導き出すことができるようになっている。
【００２２】
一方、前記挟込部２０は、前記一方の胴縁２の一方の側端面２ａに当接する当接部２１ａを有する基体２１と、この基体２１に回動可能に軸支されるとともに、前記一方の胴縁２の他方の側端面２ｂに食い込む爪部２２と、この爪部２２を前記一方の胴縁２の他方の側端面２ｂに食い込ませる方向に付勢する付勢手段２３とを備えている。
すなわち、前記基体２１の当接部２１ａと前記爪部２２との間に、前記一方の胴縁２を挟み込むことができるようになっている。
【００２３】
前記基体２１は、図２に示すように、平面視略コ字状に形成されており、上部および下部と、壁面１側とが開放された状態となっている。これによって、この基体２を、前記胴縁２に跨るようにして配置できるようになっている。
また、この基体２１において、前記壁面１に当接する側壁部分の一方が、前記一方の胴縁２の一方の側端面２ａに当接する当接部２１ａである。この当接部２１ａには、前記付勢手段２３の一端が係止される係止部材２１ｄが設けられている。
【００２４】
また、この基体２１は、図１および図２に示すように、この基体２１の表面よりも前方に突出するとともに、前記爪部２２の基端部２２ａと重ね合わされて、後述する回動軸部２２ｂが設けられる突出板部２１ｂを備えている。すなわち、この突出板部２１ｂには、回動軸部２２ｂを挿通するための挿通孔を備えていることとなる。
【００２５】
さらに、この基体２１は、図１および図２に示すように、前記壁面１に当接する側壁部分の他方であり、前記当接部２１ａに対向する位置に設けられる連結板部２１ｃを備えている。この連結板部２１ｃには、前記連結部４０の一端が固定されるようになっている。
また、この基体２１は、図１に示すように、前記連結板部２１ｃの近傍が切り欠かれており、この切欠部分から、前記爪部２２の基端部２２ａが突出している。
【００２６】
前記爪部２２は、図１および図２に示すように、前記基体２１と連結される本体部分と、この本体部分の先端に位置する爪部分とで構成されており、爪部分は鋭角状に形成されて、前記一方の胴縁２の他方の側端面２ｂに食い込みやすくなっている。
なお、この爪部２２には、前記爪部分が、前記本体部分の両端部に設けられており、鋭角な爪が複数設けられていることとなる。
【００２７】
また、この爪部２２の本体部分の基端部２２ａは、前記基体２１の突出板部２１ｂと重ね合わされて回動軸部２２ｂが設けられる。すなわち、これら基端部２２ａには、前記回動軸部２２ｂを挿通するための挿通孔を備えていることとなる。
そして、前記基体２１の突出板部２１ｂの挿通孔と、前記爪部２２の基端部２２ａの挿通孔とに前記回動軸部２２ｂを挿通させることによって、前記爪部２２は、前記基体２１に回動可能に軸支されることとなる。
【００２８】
また、この爪部２２には、前記付勢手段２３の他端が挿入されて係止される係止孔２２ｃが設けられている。
さらに、前記基端部２２ａには、これら基端部２２ａと一体的に設けられるとともに、これら基端部２２ａから、前記胴縁２の長さ方向の一方および他方にそれぞれ延出する延出板部２２ｄを備えており、これら延出板部２２ｄには、後述する副握り部２５が連結されている。
【００２９】
前記付勢手段２３としては、図１および図２に示すように、コイルばねが用いられており、このコイルばねの一端が前記係止部材２１ｄが係止されるとともに、このコイルばねの他端が、前記爪部２２の係止孔２２ｃに係止されている。
すなわち、この付勢手段２３はコイルばねであるため、伸ばされた状態から縮む状態へと付勢できることとなるので、前記爪部２２を、前記一方の胴縁２の他方の側端面２ｂに食い込ませる方向に付勢するには、前記コイルばねを常に伸びた状態にしておく。
【００３０】
そして、前記爪部２２を、前記一方の胴縁２の他方の側端面２ｂに食い込ませることができるとともに、このような付勢手段２３によって、前記爪部２２を前記一方の胴縁２の他方の側端面２ｂに食い込ませる方向に付勢することができるので、前記挟込部２０によって前記一方の胴縁２を強固に挟み込むことができ、位置決め治具１０自体を、手を離した状態で前記被取付面１上に保持できるようになる。
【００３１】
一方、前記挟込部２０は、図１および図２に示すように、前記基体２１の表面から突出するとともに、この基体２１の表面に固定される主握り部２４と、前記爪部２２に連結される副握り部２５とを備えており、これら主握り部２４と副握り部２５とを握り締めることによって、前記爪部２２を、前記一方の胴縁２の他方の側端面２ｂに食い込ませる方向とは反対の方向に回動操作可能となっている。
【００３２】
前記主握り部２４は、略コ字状に形成された部材が用いられており、両端部が前記基体２１に固定されている。
また、前記副握り部２５は、略コ字状の部材が、この部材の所定の位置から前記主握り部２４側に向かって湾曲したように形成されたものであり、両端部が前記延出板部２２ｄに固定されている。
このように、前記副握り部２５が前記主握り部２４側に向かって湾曲したように形成されることによって、これら主握り部２４と副握り部２５との間隔を縮めることができるので、これら主握り部２４と副握り部２５とを握り締めやすくなる。
【００３３】
なお、本実施の形態においては、前記副握り部２５を湾曲したものとしたが、これに限るものではなく、前記主握り部２４を、前記副握り部２５側に向かって湾曲したものであってもよい。また、これら主握り部２４および副握り部２５が、双方ともに湾曲してもよいし、双方ともに湾曲していなくてもよい。
【００３４】
そして、このように、前記挟込部２０は、前記主握り部２４と副握り部２５とを握り締めることによって、前記爪部２２を、前記一方の胴縁２の他方の側端面２ｂに食い込ませる方向とは反対の方向に回動操作可能な構成となっているので、前記主握り部２４と副握り部２５とを握り締めた状態を解除するだけで、前記爪部２２を、前記一方の胴縁２の他方の側端面２ｂに食い込ませる方向に回動させることができ、前記挟込部２０によって前記一方の胴縁２を挟み込む動作を簡単に行うことができる。
【００３５】
一方、前記位置出し部３０は、図２に示すように、平面視略コ字状に形成されており、上部および下部と、壁面１側とが開放された状態となっている。
また、この位置出し部３０において、前記壁面１に当接する側壁部分の一方が、前記他方の胴縁２が当接する側端面３０ａを有する側壁部分であり、他方には、前記連結部４０の他端が固定されるようになっている。
【００３６】
また、この位置出し部３０は、この位置出し部３０の表面から突出するとともに、この位置出し部３０の表面に固定される把持部３１を備えており、この把持部３１を掴みながら作業できるようになっている。これによって、前記他方の胴縁２を当接させた際に、前記位置出し部３０の揺動を防ぐことができる。
【００３７】
なお、この位置出し部３０は、図１に示すように、前記挟込部２０と略等しい長さに形成されているが、これに限るものではなく、この位置出し部３０を前記挟込部２０よりも長尺に形成してもよいものとする。これによって、前記胴縁２が左右に振れたりすることを防ぐことができるので、前記胴縁２をより正確に位置決めできる。
【００３８】
一方、前記連結部４０は、前記挟込部２０と位置出し部３０とを所定間隔離間させるために、所定の長さに設定されている。
すなわち、前記隣り合う胴縁２，２を配置する間隔は、上述のように、前記一方の胴縁２の一方の側端面２ａから、他方の胴縁２の他方の側端面２ｂまでの長さ、つまり、前記挟込部２０の当接部２１ａの前記一方の胴縁２の一方の側端面２ａに当接する面から、前記位置出し部３０の前記他方の胴縁２の他方の側端面２ｂに当接する面までの長さに規定されている。
したがって、図１に示すように、前記当接部２１ａの前記一方の胴縁２の一方の側端面２ａに当接する面から、前記連結板部２１ｃの前記連結部４０が接触する面までの前記挟込部２０の長さ寸法Ａと、前記位置出し部３０の前記他方の胴縁２の他方の側端面２ｂに当接する面から、この位置出し部３０の前記連結部４０が接触する面までの長さ寸法Ｂとを差し引いた寸法が、前記連結部４０の長さ寸法Ｃとなっている。
そして、上述の長さ寸法Ａと長さ寸法Ｂと長さ寸法Ｃとを足し合わせた数値が、前記隣り合う胴縁２，２間の間隔の寸法に設定されている。
【００３９】
また、この連結部４０は、前記挟込部２０の連結板部２１ｃに固定されるとともに、前記位置出し部３０の前記壁面１に当接する側壁部分の他方に固定されている。
この連結部４０を固定する際は、この連結部４０の両側面と前記連結板部２１ｃとに、これら双方に当接する略Ｌ字型の固定アングル４１を当接させて、ネジ４２によってネジ止めするとともに、この連結部４０の両側面と前記位置出し部３０との双方に、固定アングル４１を当接させて、ネジ４２によってネジ止めする。
【００４０】
なお、この連結部４０は、断面略コ字状に形成されており、両端部が前記壁面１に当接する。また、上述のように、前記挟込部２０の基体２１も、前記当接部２１ａおよび連結板部２１ｃが前記壁面１に当接するように設定されており、前記位置出し部３０も、前記両端部が前記壁面１に当接するように設定されているので、位置決め治具１０の壁面１側の面を、前記壁面１に対して密接に当接することができる。
【００４１】
次に、本実施の形態の位置決め治具１０を用いて、前記胴縁２を、前記壁パネルの壁面１に、この壁面１の幅方向に沿って等間隔に複数取り付ける胴縁２の取付方法について説明する。
すなわち、この胴縁２の取付方法は、表面に外装材が取り付けられる長尺な胴縁２を、壁面１に、この壁面１の幅方向または高さ方向に沿って等間隔に複数取り付けるものであり、隣り合うようにして配置される複数の胴縁２，２のうち、前記壁面１に取り付けられた一方の胴縁２を前記挟込部２０によって挟み込んだ後、前記隣り合う複数の胴縁２，２のうちの他方の胴縁２を、前記位置出し部３０の側端面３０ａに当接させ、その後、この他方の胴縁２を、前記壁面１に取り付ける。
【００４２】
ここで、まず、壁パネルの壁面１には防水シート１ａを貼設してから、この防水シート１ａの表面に、基準となる胴縁２（前記一方の胴縁２）を正確に取り付ける。
つまり、前記胴縁２を、前記壁面１に、前記壁パネルの端縁に対して、前記胴縁２の端縁が傾いたりせずに平行となるように取り付ける。また、この胴縁２の上端部および下端部の高さ位置にも留意して、正確な取り付けを行う。
なお、本実施の形態においては、前記胴縁２の固定を、釘やビス等の止着材によって行うものとする。
【００４３】
続いて、前記位置決め治具１０の挟込部２０によって前記一方の胴縁２を挟み込む。
この時、前記主握り部２４と副握り部２５とを握り締めて、前記爪部２２を、前記一方の胴縁２の他方の側端面２ｂに食い込ませる方向とは反対の方向に回動操作しておく。そして、前記基体２１を、前記一方の胴縁２を跨ぐようにして配置し、この基体２１の当接部２１ａと連結板部２１ｃとが前記壁面１に当接してから、前記主握り部２４と副握り部２５とを握り締めた状態を解除して、前記爪部２２を、前記一方の胴縁２の他方の側端面２ｂに食い込ませる方向に回動させる。これによって、この爪部２２と前記当接部２１ａとの間に前記胴縁２を挟みこむことができる。
【００４４】
また、このように前記挟込部２０によって前記一方の胴縁２を挟み込んだ状態とすることによって、位置決め治具１０自体を、手を離した状態で前記壁面１上に保持できるようになっている。
【００４５】
続いて、前記壁面１に保持された位置決め治具１０の位置出し部３０の把持部３１を掴み持ち、位置決め治具１０が動かないように固定しながら、この位置出し部３０の側端面３０ａに他方の胴縁２を当接させる。
【００４６】
続いて、前記位置出し部３０に当接している前記他方の胴縁２を、この胴縁２の上端部および下端部の高さ位置に留意しながら、前記壁面１に取り付ける。これによって、前記一方の胴縁２に隣り合う他方の胴縁２を、確実に等間隔に取り付けることができる。
このように他方の胴縁２を前記壁面１に取り付けたら、前記挟込部２０による前記一方の胴縁２の挟み込み状態を解除して、位置決め治具１０を取り外す。
【００４７】
続いて、このように前記壁面１に取り付けられた他方の胴縁２を、前記挟込部２０によって挟み込んで、位置決め治具１０を前記壁面１上に保持し、続いて、この他方の胴縁２に隣り合うようにして配置される胴縁２を前記壁面１に取り付けるようにする。
以上のような作業を繰り返すことによって、複数の胴縁２を壁面１に確実に等間隔に取り付けることができ、例えば大型壁パネルのように、壁面１の幅寸法が長いものであっても、複数の胴縁２を確実に等間隔に取り付けることができる。
【００４８】
本実施の形態によれば、前記壁面１等の被取付面１に取り付けられた一方の胴縁２等の長尺部材２を挟み込む挟込部２０と、側端面３０ａに、前記一方の長尺部材２と所定の間隔をあけて取り付けられる他方の胴縁２等の長尺部材２が当接する位置出し部３０と、これら挟込部２０と位置出し部３０とを所定間隔離間させるとともに、これら挟込部２０と位置出し部３０とを連結する連結部４０とを備えているので、前記挟込部２０によって、前記被取付面１に取り付けられた一方の長尺部材２を挟み込んだ状態で、前記位置出し部３０の側端面３０ａに、前記他方の長尺部材２を当接させることによって、この他方の長尺部材２を位置決めできることとなる。
これによって、従来とは異なり、防水シートに印刷された碁盤目の数をいちいち数えたり、取付位置の表示が正確かどうか、また、取り付け後の長尺部材に取付誤差はないか等を確認したりする必要がなく、前記被取付面１に取り付けられる隣り合う一方の長尺部材２と他方の長尺部材２との間の間隔が全て等しいものとなるので、前記複数の長尺部材２を確実かつ容易に等間隔に配置することが可能となる。
しかも、前記挟込部２０によって前記一方の長尺部材２を挟み込んだ状態で、前記位置出し部３０の側端面３０ａに、前記他方の長尺部材２を当接させるだけで、隣り合う長尺部材２，２同士を等間隔に配置できるので、複数の長尺部材２を等間隔に配置する作業を一人でも容易に行うことができる。
【図面の簡単な説明】
【００４９】
【図１】本発明の位置決め治具を示す正面図である。
【図２】図１に示す位置決め治具の底面図である。
【符号の説明】
【００５０】
１  被取付面（壁面）
２  長尺部材（胴縁）
１０  位置決め治具
２０  挟込部
２１ａ  当接部
３０  位置出し部
３０ａ  側端面
４０  連結部
【図１】
2010053584.tif 000003
【図２】
2010053584.tif 000004